(57)【要約】本発明は発熱体の発熱を用いた電子レンジ用調理器に関し、調理器の内部に形成される高圧により調理器が爆発されるという問題点を解消するために、マイクロウエーブが透過される本体の内部に金属性のパンの上端部が密閉結合されるように形成され、前記パンの下部面にマイクロウエーブを吸収して発熱する発熱シートと断熱支持台が順次に結合される電子レンジ用発熱調理器において、前記パンと本体との密閉結合がシリコンパッキングによりなされて調理器の内部圧力が非正常的に上昇する場合に前記本体と結合されていたシリコンパッキングの離脱により圧力解消がなされることによりユーザーの安全を確保し、且つ、電子レンジの破損などの経済的な被害を予防することのできる安全装置付き電子レンジ用発熱調理器に関する。
2011511925.tif 000002
【特許請求の範囲】
【請求項１】
マイクロウエーブが透過される本体の内部に金属性のパンの上端部が密閉結合されるように形成され、前記パンの下部面にマイクロウエーブを吸収して発熱する発熱シートと断熱支持台が順次に結合される電子レンジ用発熱調理器において、
前記パンと本体との密閉結合がシリコンパッキングによりなされて調理器の内部圧力が非正常的に上昇する場合に前記本体と結合されていたシリコンパッキングの離脱により圧力解消がなされることを特徴とする安全装置付き電子レンジ用発熱調理器。
【請求項２】
前記シリコンパッキングは、
内側面にはパンの周縁部が嵌まり込む周縁係合溝が形成され、外側面の上端部は楔状に尖っていて前記本体に設けられるパッキング溝部に拘束可能な係止部が形成されることを特徴とする請求項１に記載の安全装置付き電子レンジ用発熱調理器。
【請求項３】
前記シリコンパッキングには、
上部面に突き出て前記本体の内面と密着可能な密着リブがさらに形成されることを特徴とする請求項２に記載の安全装置付き電子レンジ用発熱調理器。
【請求項４】
前記断熱支持台は、
自体弾性を持つセラミックウール材質からなるものであって、結合後に上部圧力が加えられると自体弾性により発熱シートとパンを上向きに支持することを特徴とする請求項１から３のいずれかに記載の安全装置付き電子レンジ用発熱調理器。
【請求項５】
前記本体は、
その底面部に突き出る２以上のリブが形成され、前記リブ間の領域に外部と連通される通気孔が形成されることを特徴とする請求項４に記載の安全装置付き電子レンジ用発熱調理器。
【発明の詳細な説明】
【技術分野】
【０００１】
本発明は発熱体の発熱を用いて食材を調理する電子レンジ調理器のうち本体にパンと発熱シートと断熱支持台が密着されるように結合されるような構造の電子レンジ調理器に関する。
【背景技術】
【０００２】
電子レンジ用調理器において本体の内部にパン（ｐａｎ）と発熱シート、さらに断熱支持台が積み重ねられてなるものがあり、従来の技術における本体とパンとの結合方法として知られている方式には下記の方式が挙げられる。
すなわち、一つは、本体の上部面の一方の側にシリコン接着剤などによりパンを接着する方式であり、もう一つの技術としては、本体の内側面の一方の側にパンの周縁を嵌め込んで結合（インサート結合）する方式が使用されている。
しかしながら、このような従来の技術において、シリコン接着方式は接着及び硬化に長時間かかって生産性が低いという問題と、パンの温度がシリコン接着剤の耐熱限界である２６０℃以上に上昇して高熱が発生するときに接着物性を失って接着力が失われるという問題があり、且つ、パンの熱が本体に直接的に伝導されるという問題に起因して高熱が発生するときに本体の熱損傷及びスパークが発生するという問題点があった。
一方、インサート結合方式もまた高熱が発生するときに本体とパンとの結合部に熱損傷が生じ、且つ、結合部にスパークが発生するという問題点があった。
公知の従来技術の場合、ユーザーの不注意により本体の底面部に配設される通気孔が閉塞されたり密閉された状態で加熱をすると、本体の内部空間部の空気圧力が高くなって本体が爆発して電子レンジが損傷されるだけではなく、ユーザーの安全にも危害要因になりうるという問題点があった。
すなわち、正常の状態であるときに本体内部の空間部の圧力が急激に上昇すると前記通気孔を介して排気がなされて自然に減圧がなされるはずであるが、使用中の不注意や管理不足により通気孔に食物のかすや異物が積もってしまって閉塞が発生し、これは爆発につながる恐れがある。
【発明の概要】
【発明が解決しようとする課題】
【０００３】
本発明は上記事情に鑑みてなされたものであり、その目的は、上述した如き従来の技術の問題点を解消するために、調理器の通気孔が密閉される場合であっても爆発に至る前に減圧がなされるようにすると共に、通気孔を介した減圧もまた確実になされるような構造を有する安全装置付き電子レンジ用発熱調理器を提供するところにある。
【課題を解決するための手段】
【０００４】
上記の目的を達成するために、本発明は、マイクロウエーブが透過される本体の内部に金属性のパンの上端部が密閉結合されるように形成され、前記パンの下部面にマイクロウエーブを吸収して発熱する発熱シートと断熱支持台が順次に結合される電子レンジ用発熱調理器において、前記パンと本体との密閉結合がシリコンパッキングによりなされて調理器の内部圧力が非正常的に上昇する場合に前記本体と結合されていたシリコンパッキングの離脱により圧力解消がなされることを特徴とする安全装置付き電子レンジ用発熱調理器を提供する。
好ましくは、前記シリコンパッキングは、内側面にはパンの周縁部が嵌まり込む周縁係合溝が形成され、外側面の上端部は楔状に尖っていて前記本体に設けられるパッキング溝部に拘束可能な係止部が形成される。
また、好ましくは、前記シリコンパッキングには、上部面に突き出て前記本体の内面と密着可能な密着リブがさらに形成される。
さらに、好ましくは、前記断熱支持台は、自体弾性を持つセラミックウール材質からなるものであって、結合後に上部圧力が加えられると自体弾性により発熱シートとパンを上向きに支持する。
さらに、好ましくは、前記本体は、その底面部に突き出る２以上のリブが形成され、前記リブ間の領域に外部と連通される通気孔が形成される。
【発明の効果】
【０００５】
本発明に係る電子レンジ用発熱調理器は、本体に設けられる通気孔が閉塞されて内部圧力が非正常的に高く形成される場合であっても爆発に至る前に減圧がなされることから安全事故を予防することができるという効果があり、さらに、爆発による財産上の被害を防止することができるという効果もある。
【図面の簡単な説明】
【０００６】
【図１】本発明に係る調理器の概略断面図である。
【０００７】
【図２】図１におけるＡ部の拡大断面図である。
【図３】シリコンパッキングの断面図である。
【図４】本発明に係る調理器の組立て状態の斜視図である。
【図５】本体の底面部に形成されるリブ及び通気孔の一例を示す部分斜視図である。
【発明を実施するための形態】
【０００８】
以下、本発明に係る安全装置付き電子レンジ用発熱調理器についてより詳細に説明をするものとし、本発明の技術的思想への理解に一助となる手段としての関連図面を参照する。但し、提示の図面は本発明の好適な実施形態を示すものであるが、同じ技術的思想の範囲内における単純な構造的変更などの変形実施例もまた本発明の技術的範囲に含まれるものとして理解さるべきである。
基本的に、本発明における安全装置付き電子レンジ用発熱調理器（以下、調理器と称する。）は、凹状の本体が備えられ、前記本体の内部に凹状のパン（ｐａｎ）が設けられ、前記本体の底面部の上面とパンの底面部の下面との間に板状の発熱シートと断熱支持台が設けられる。そして、前記本体とパンの側面との間には空き空間部が形成され、前記パンと本体との連結に本発明においてはシリコンパッキングを利用するものとする。
前記シリコンパッキングは、パンの上縁部と本体の内面に形成されるパッキング溝部を連結して密閉状態に維持するが、特に、本発明における前記シリコンパッキングは前記空間部内の圧力が非正常的に上昇する場合に前記パッキング溝部からシリコンパッキングが離脱して減圧がなされることを特徴とする。
また、本発明においては、本体の底面部または底面部及び側面の一部に突き出て排気流路を形成可能な多数のリブを設けることができ、これらのリブの間に外部と連通される通気孔を設けて前記通気孔を介した減圧を一層円滑に行うことを他の特徴とする。
以下、本発明の好適な実施形態についてより具体的に説明する。添付の図１は、本発明に係る調理器の概略断面図を示し、図２は、図１におけるＡ部の拡大断面図に相当する。なお、図３は、シリコンパッキングの断面図を示し、図４は、本発明に係る調理器の組立て状態の斜視図であり、図５は、本体の底面部に形成されるリブ及び通気孔の一例を示す部分斜視図である。
図示の如く、マイクロウエーブが透過される本体１００の内部に金属性のパン２００が設けられ、前記パン２００の下部面にマイクロウエーブを吸収して発熱する発熱シート３００が配設され、前記発熱シート３００の下部に断熱支持台４００が形成される。
特に、前記パン２００と本体１００との密閉結合がシリコンパッキング５００によりなされるが、ユーザーの不注意などにより本体１００の底面部に配設される通気孔１１０が閉塞された状態で用いられる場合に内部圧力の急激な上昇時に自体弾性を持つシリコンパッキング５００が本体１００のパッキング溝部１２０から離脱して圧力解消がなされる。
前記本体１００は円形または四角形など種々の形状を有することができ、前記本体１００の内側面の上部にはシリコンパッキング５００が収納可能なパッキング溝部１２０が連続して形成される。前記シリコンパッキング５００は本体１００の形状に合わせて成形される環状のものであり、その内側面にはパン周縁部２１０が嵌まり込む周縁係合溝５１０が形成され、外側面の上端部は楔状に尖っていて前記本体１００に配設されるパッキング溝部１２０に嵌め込まれる係止部５２０が形成される。
前記本体１００に配設されるパッキング溝部１２０は概ね「コ」字状を呈していればよく、シリコンパッキング５００の係止部５２０及びシリコンパッキング５００の下端面が前記パッキング溝部１２０に嵌合される。
前記シリコンパッキング５００は自体弾性を持っているため、パン２００の周縁部２１０にシリコンパッキング５００の周縁係合溝５１０を嵌め込んだ後に本体１００の上部から下方に向かって力を加えながら押し込むと、前記シリコンパッキング５００が圧縮されながら下方に移動してパッキング溝部１２０におけるシリコンパッキング５００の結合が可能になる。圧縮されていたシリコンパッキング５００がパッキング溝部１２０に達すると、元の形状に膨張しながら係止部５２０がパッキング溝部１２０に密着して拘束状態をなす。
さらに好ましくは、前記シリコンパッキング５００の上部面に突き出る密着リブ５３０がさらに形成可能であるが、前記密着リブ５３０は前記パッキング溝部１２０に連結される本体の内面と当接しながら密着状態を形成することになる。前記密着リブ５３０は隙間を密封するためのものであり、本体１００の内面に対して密着されるため、食材の調理時に水分や食物のかすが本体のパッキング溝部１２０に流入できないように機能する。
前記パン２００の下部面に設けられる発熱シート３００はマイクロウエーブを吸収して発熱される部材であり、これは公知のものであるためこれについての具体的な説明を省略する。
そして、前記発熱シート３００の下部に形成される断熱支持台４００の場合、自体弾性を持つセラミックウール材質のものにするが、組立てがなされた後に上部から圧力が加えられると、自体弾性を持つセラミックウール材質の断熱支持台４００は上向きに反発力を発生させて前記発熱シート３００とパン２００を一定の範囲内において上向きに支持するため、パッキング溝部１２０に嵌め込まれたシリコンパッキング５００は上下にがたつくことなく強固に密着可能になる。
一方、自体弾性を持つ前記シリコンパッキング５００の硬度は、好ましくは、３０〜８０度であることが好ましいが、本体のサイズと調理用途に応じて安全なシリコン硬度を選択すればよい。
そして、前記シリコンパッキング５００は絶縁体であるため、マイクロウエーブの投射による金属性のパン２００への電磁気波が本体１００に伝導されないように遮断する機能をするが、これにより、金属性のパン２００から発せられるマイクロウエーブによるスパーク現象を防止することができるというメリットが得られる。
前記本体１００の底面部には減圧のための通気孔１１０が１以上形成されるが、本発明は、本体１００の底面部に設けられる断熱支持台４００による通気孔１１０の密閉をなくすためにユニークな構造を有する。
すなわち、前記本体１００の底面部もしくは底面部と内側面の一部と連結されるように２以上の突出リブ１３０を形成し、前記リブ１３０間の空間が排気流路１３１となり、前記排気流路１３１上のいずれか一個所に通気孔１１０を形成する。このようなリブ１３０による排気流路１３１及び通気孔１１０の構造は底面部に１以上設けることができ、２以上設ける場合には対称的に形成することが好ましい。
上述したように、本体１００の底面部に多数のリブ１３０を設けると、断熱支持台４００の下部面が排気流路１３１と通気孔１１０を密閉させないため、本体１００とパン２００の側面との間に形成される空間部Ｃの内圧が高くなるときにも前記排気流路１３１を介して高圧の空気が効果的に流動して通気孔１１０に円滑に排出可能になる。さらに、洗浄時に通気孔を介して染み込んだ水分も自然に排水可能になるという特徴を有する。
そして、本発明においては、シリコンパッキング５００と結合されたパン２００の本体１００への組付けに際して専用プレス装置を用いて加圧することにより、従来のシリコン接着方式やインサート方式に比べて組立てが一層簡単になることから、生産性を高めることができるという長所もある。
以下、本発明に係る調理器の作動原理について説明する。
完成された調理器の本体１００の底面部に形成される通気孔１１０が完全に閉塞されていることをチェックできなかった状態で電子レンジに入れて料理をすると、発熱シート３００の熱により高熱が発散されるため、本体１００とパン２００との間に形成される空間部Ｃの空気は膨張しながら急激に内部圧力が上昇してしまう。
次第に空間部Ｃの内圧が増大して所定値以上に達すると、パッキング溝部１２０に嵌め込まれたシリコンパッキング５００の一部の領域が内圧によりパッキング溝部１２０から離脱してしまい、これにより減圧がなされて本体１００の爆発が防止可能になる。そして、高圧によりシリコンパッキング５００がパッキング溝部１２０から離脱するときにはシリコンパッキング５００の全体が同時に離脱するのではなく、いずれか一個所から離脱するが、そのときに生じる開封部に内圧が排気されるため爆発の徴候を示すことなく自然に減圧がなされるのである。
そして、減圧のためにシリコンパッキング５００がパッキング溝部１２０から離脱しても、ユーザーはさらにシリコンパッキング５００をパッキング溝部１２０に押し込んで再結合することができるため、再購買をせずとも使用し続けることができる。
さらに、本体１００の底面部に多数のリブ１３０を用いて排気流路１３１を形成し、前記排気流路１３１の上に通気孔１１０を設けると、空間部Ｃにおける高圧形成がなされてもリブ１３０により形成される排気流路１３１を介して通気孔１１０に一層確実に高圧空気が排出されるため、１次的に通気孔１１０を介した減圧がなされ、これにより、シリコンパッキング５００がパッキング溝部１２０から離脱した場合に再結合を行うことを余儀なくされるといった煩雑さをなくすことが可能になる。もちろん、通気孔１１０を介した減圧が不足して空間部の内圧減少が円滑になされない場合には２次的にシリコンパッキング５００が離脱して減圧を達成することになる。
次に、本発明に係る調理器を用いた具体的な減圧特性に対する比較試験例について説明する。
下記のように、シリコンパッキング付き調理器と、シリコンパッキング及び排気流路の上に通気孔が形成された調理器をもって本体の爆発性実験と膨張空気の排出効果についての試験を行った。
＊実験１：本体の爆発性実験
１）準備物
（１）シリコン接着式電子レンジ調理器（従来の技術）
本体とパンの周縁との結合方式がシリコン接着式である従来の調理器
（２）インサート結合式電子レンジ調理器（従来の技術）
本体とパンの周縁との結合方式がインサート結合方式である従来の調理器
（３）本発明の製品；シリコンパッキング構造の本発明製品
※試験に供される上記の（１）、（２）、（３）の製品はいずれも同じ条件下で同じ方法により通気孔を強制的に密閉したものである。
（これらの製品は厨房調理器具であるため、ユーザーが使用中に不注意により食物のかすや尖った木材が通気孔を閉塞した状態で加熱した場合を想定して準備した材料である）
２）実験方法
（１）、（２）、（３）の製品のパンに水２５０ｍｌを注ぎ込んだ後に電子レンジにて１０〜１５分間加熱した。
■使用された電子レンジ：定格高周波出力７００Ｗ
３）結果
上記の（１）と（２）は大きな爆発音と共に電子レンジの内部において爆発され、電子レンジのガラス板及び本体、そしてパンが破損された。
しかしながら、（３）の本発明の製品では爆発現象は発生せず、シリコンパッキングが空間部の内圧により本体から部分的に離脱する現象が発生され、製品損傷及び電子レンジ損傷は見られなかった。
※爆発到達時間が１０〜１５分と一定ではなかった原因は、発熱シートの発熱力による温度に応じて爆発に時間差があったためであり、発熱力が高い発熱シートであるほど熱膨張内圧が大きく爆発に達する時間が短かった。
＊実験２：排気流路付き通気孔の効果実験
１）準備物
（１）シリコンパッキング付き製品であるが、本体の底面にリブと排気流路２４がなく、通気孔２３だけ穿孔された製品
（２）シリコンパッキング１付き本発明の製品
本体の底面にリブが形成されて排気流路と通気孔が一緒に設けられた製品
※上記の（１）と（２）に使用された断熱支持台は水分と油垢が多い、同じ状態のものを人為的に作ったものである。（これらの製品は厨房調理器具であるため、ユーザーが使用中に不注意により断熱支持台に水分と油垢が多い状態で加熱した場合を想定して準備した材料である。）
２）実験方法
（１）、（２）の製品のパンに水２５０ｍｌを注ぎ込んだ後に電子レンジにて２０〜３０分間加熱した。
■使用された電子レンジ：定格高周波出力７００Ｗ
３）結果
（１）を使用した試験においては、たとえ通気孔が形成されているとはいえ、水分と油垢がセラミックウール素材の断熱支持台の通気を妨げて膨張空気を１００％排出することができないという問題が発生され、且つ、その内圧により空間部が熱膨張されてシリコンパッキングが本体から離脱するという現象が発生された。
しかしながら、（２）の準備物を用いた試験においては、水分と油垢がセラミックウール素材の断熱支持台の通気を妨げたとはいえ、排気流路を介して膨張空気を１００％排出して空間部が熱膨張せず、脱着シリコンパッキング１が本体２から離脱するといった現象が発生しなかった。
３．まとめ
試験例から明らかなように、シリコンパッキング１の構造と共に排気流路２４付き通気孔２３の構造の本発明が、爆発危険性とシリコンパッキングの離脱がない最も安全な構造である。
【産業上の利用可能性】
【０００９】
本発明に係る調理器は安全性が卓越したため、各種の形状の電子レンジ用発熱調理器として既存の製品に代わって幅広く用いられるものと期待されることから、産業的な利用可能性が極めて高い技術であると言える。
【符号の説明】
【００１０】
１００：本体、
１１０：通気孔、
１２０：パッキング溝部、
１３０：リブ、
１３１：排気流路、
２００：パン、
２１０：周縁部、
３００：発熱シート、
４００：断熱支持台、
５００：シリコンパッキング、
５１０：周縁係合溝、
５２０：係止部、
５３０：密着リブ、
【図１】
2011511925.tif 000003
【図２】
2011511925.tif 000004
【図３】
2011511925.tif 000005
【図４】
2011511925.tif 000006
【図５】
2011511925.tif 000007
【国際調査報告】
2011511925.tif 000008
2011511925.tif 000009
2011511925.tif 000010
2011511925.tif 000011